(57)【要約】【課題】吐出器の外面への内容物の付着を抑える。【解決手段】内容物が収容される容器本体１１と、容器本体内に上方移動可能に嵌合され、内容物の減少に伴い上方移動する中皿１２と、容器本体の口部１３内に配設された有底筒状の収容体１４と、容器本体の口部に離脱可能に装着された蓋体１５と、を備え、収容体の底壁部１６に、容器本体内に開口する連通孔１７が形成され、蓋体に、連通孔に離脱可能に嵌合された栓部１８が設けられ、容器本体内の内容物が下端開口を通して内部に供給されるシリンダを有し、かつシリンダ内の内容物を吐出孔から吐出する吐出器が、口部に装着されることにより、シリンダが収容体内に収容されるとともに、このシリンダの下端開口の周縁部から下方に向けて突出した連結筒が、連通孔に密に嵌合される。【選択図】図１
2020189681.tif 000002
【特許請求の範囲】
【請求項１】
内容物が収容される容器本体と、
前記容器本体内に上方移動可能に嵌合され、内容物の減少に伴い上方移動する中皿と、
前記容器本体の口部内に配設された有底筒状の収容体と、
前記容器本体の口部に離脱可能に装着された蓋体と、を備え、
前記収容体の底壁部に、前記容器本体内に開口する連通孔が形成され、
前記蓋体に、前記連通孔に離脱可能に嵌合された栓部が設けられ、
前記容器本体内の内容物が下端開口を通して内部に供給されるシリンダを有し、かつ前記シリンダ内の内容物を吐出孔から吐出する吐出器が、前記口部に装着されることにより、前記シリンダが前記収容体内に収容されるとともに、このシリンダの下端開口の周縁部から下方に向けて突出した連結筒が、前記連通孔に密に嵌合される、付け替え容器。
【請求項２】
前記吐出器は、前記シリンダを径方向の外側から囲う外筒を備え、
前記収容体の底壁部に、内周面が前記外筒の外周面に当接、若しくは近接する案内筒が設けられている、請求項１に記載の付け替え容器。
【請求項３】
前記吐出器は、
前記口部の上端開口縁に支持される支持フランジ部と、
前記支持フランジ部から下方に向けて突出した被案内筒と、を備え、
前記収容体の周壁部の内周面は、前記被案内筒の外周面に当接、若しくは近接する、請求項１または２に記載の付け替え容器。
【発明の詳細な説明】
【技術分野】
【０００１】
本発明は、付け替え容器に関するものである。
【背景技術】
【０００２】
従来から、例えば下記特許文献１に記載された吐出容器が知られている。この吐出容器は、容器本体と、吐出器と、を備える。
【先行技術文献】
【特許文献】
【０００３】
【特許文献１】特開２０１３−２０３４０７号公報
【発明の概要】
【発明が解決しようとする課題】
【０００４】
前記従来の吐出容器では、容器本体内の内容物を使い切った後に、吐出器を、内容物が充填されている新たな容器本体に付け替えて再利用することがある。
しかしながら、吐出容器では、吐出器のシリンダが容器本体内に位置していることから、シリンダの外面に内容物が付着している吐出器を付け替えなければならない。そのため、例えば、付け替え操作の過程で内容物が手に付着したり、使用できない内容物が生じたりする等のおそれがある。
【０００５】
本発明は、このような事情を考慮してなされたもので、吐出器の外面への内容物の付着を抑えることができる付け替え容器を提供することを目的とする。
【課題を解決するための手段】
【０００６】
上記課題を解決して、このような目的を達成するために、本発明の付け替え容器は、内容物が収容される容器本体と、前記容器本体内に上方移動可能に嵌合され、内容物の減少に伴い上方移動する中皿と、前記容器本体の口部内に配設された有底筒状の収容体と、前記容器本体の口部に離脱可能に装着された蓋体と、を備え、前記収容体の底壁部に、前記容器本体内に開口する連通孔が形成され、前記蓋体に、前記連通孔に離脱可能に嵌合された栓部が設けられ、前記容器本体内の内容物が下端開口を通して内部に供給されるシリンダを有し、かつ前記シリンダ内の内容物を吐出孔から吐出する吐出器が、前記口部に装着されることにより、前記シリンダが前記収容体内に収容されるとともに、このシリンダの下端開口の周縁部から下方に向けて突出した連結筒が、前記連通孔に密に嵌合される。
【０００７】
この発明によれば、蓋体を容器本体の口部から外し、栓部を連通孔から外した状態で、吐出器のシリンダを収容体内に進入させるとともに、連結筒を収容体の連通孔に密に嵌合することにより、吐出器が口部に装着される。吐出器を作動させると、中皿が容器本体内を上方移動しつつ、容器本体内の内容物が連結筒内を通してシリンダ内に供給されるとともに、シリンダ内の内容物が吐出孔から吐出される。
吐出器を容器本体の口部に装着したときに、連結筒が連通孔に密に嵌合するので、容器本体内の内容物が、連結筒の外周面と連通孔の内周面との間を通して、吐出器と収容体の底壁部の上面との間に進入するのを抑制することが可能になり、シリンダが収容体内に収容され、容器本体内に露呈するのを防止できることと相俟って、内容物が吐出器の外面に付着するのを抑制することができる。これにより、例えば、付け替え操作の過程で内容物が手に付着したり、使用できない内容物が生じたりするのを抑えることができる。
【０００８】
ここで、前記吐出器は、前記シリンダを径方向の外側から囲う外筒を備え、前記収容体の底壁部に、内周面が前記外筒の外周面に当接、若しくは近接する案内筒が設けられてもよい。
【０００９】
この場合、収容体の底壁部に、内周面が吐出器の外筒の外周面に当接、若しくは近接する案内筒が設けられているので、シリンダを収容体内に進入するときに、外筒の外周面を案内筒の内周面に摺接させることにより、吐出器および収容体の相対的な径方向の位置が決められることとなり、吐出器を口部に容易に装着することができる。
【００１０】
また、前記吐出器は、前記口部の上端開口縁に支持される支持フランジ部と、前記支持フランジ部から下方に向けて突出した被案内筒と、を備え、前記収容体の周壁部の内周面は、前記被案内筒の外周面に当接、若しくは近接してもよい。
【００１１】
この場合、収容体の周壁部の内周面が、吐出器の被案内筒の外周面に当接、若しくは近接するので、シリンダを収容体内に進入するときに、被案内筒の外周面を、収容体の周壁部の内周面に摺接させることにより、吐出器および収容体の相対的な径方向の位置が決められることとなり、吐出器を口部に容易に装着することができる。
【発明の効果】
【００１２】
本発明によれば、吐出器の外面への内容物の付着を抑えることができる。
【図面の簡単な説明】
【００１３】
【図１】本発明に係る一実施形態として示した付け替え容器の縦断面図である。
【図２】図１に示す付け替え容器に吐出器が装着された状態を示す断面図である。
【発明を実施するための形態】
【００１４】
以下、図面を参照し、本発明の一実施形態に係る付け替え容器１について説明する。
本実施形態の付け替え容器１は、図１に示されるように、内容物が収容される容器本体１１と、容器本体１１内に上方移動可能に嵌合され、内容物の減少に伴い上方移動する中皿１２と、容器本体１１の口部１３内に配設された収容体１４と、容器本体１１の口部１３に離脱可能に装着された蓋体１５と、を備えている。
【００１５】
容器本体１１および収容体１４は、有底筒状に形成され、中皿１２および蓋体１５は、有頂筒状に形成されており、容器本体１１、収容体１４、中皿１２、および蓋体１５は、共通軸と同軸に配設されている。以下、この共通軸を中心軸線Ｏといい、中心軸線Ｏに沿う軸方向から見て、中心軸線Ｏに交差する方向を径方向といい、中心軸線Ｏ回りに周回する方向を周方向という。軸方向のうち、蓋体１５の頂壁部３１側を上側といい、容器本体１１の底壁部３２側を下側という。
【００１６】
容器本体１１は、本体筒３３、および底壁部３２を備えている。
本体筒３３の上端部の外周面に、蓋体１５が螺着される雄ねじ部が形成されており、本体筒３３の上端部が、容器本体１１の口部１３となっている。
底壁部３２は、有底筒状に形成され、本体筒３３の下端部内に嵌合されている。底壁部３２の底板３２ｂに、軸方向に貫通する窓孔３２ａが形成されている。中皿１２の上方移動に伴い、外気が窓孔３２ａを通して後述する遮断空間Ｙに導入される。
【００１７】
中皿１２は、容器本体１１の内周面を上方に向けて密に摺動する摺動筒３６を備えている。摺動筒３６は、中皿１２の周壁部から径方向の外側に向けて突出し、中皿１２の周壁部のうちの軸方向の中間部を径方向の外側から囲っている。中皿１２の頂壁部の下面に、下方に向けて突出した係合筒３７が設けられている。係合筒３７は、中心軸線Ｏと同軸に配設されている。容器本体１１内において、中皿１２の頂壁部の下面と、容器本体１１の底板３２ｂの上面と、の間に位置する部分は、内容物の収容空間Ｘに対して遮断された遮断空間Ｙとなっている。
【００１８】
遮断空間Ｙに、固定部３９、可動部４０、および表示帯４１が設けられている。
可動部４０は、有底筒状に形成され、中皿１２の係合筒３７に外嵌されている。可動部４０は、収容空間Ｘ内の内容物の減少に伴い、中皿１２とともに上方移動する。
固定部３９は、容器本体１１の底板３２ｂに固定されている。固定部３９は、窓孔３２ａを上方から覆っている。固定部３９は、巻回された表示帯４１が収容された収容部３９ａと、表示帯４１を通過させて可動部４０に導くパス孔３９ｂと、を備えている。
【００１９】
表示帯４１の一端部は可動部４０に固定されている。表示帯４１の一端部に貫通孔が形成され、可動部４０に、この貫通孔に挿入された突部が設けられている。表示帯４１は、可動部４０の上方移動に伴い、収容部３９ａから繰り出されつつパス孔３９ｂを通過する。この際、表示帯４１は、固定部３９と容器本体１１の底板３２ｂの上面との間のうち、窓孔３２ａが位置している部分を通過する。これにより、容器本体１１の外部から、窓孔３２ａ上に位置している表示帯４１を視認することができる。
【００２０】
ここで、表示帯４１は、長手方向に沿う部分ごとで色彩が異なっており、窓孔３２ａから視認される表示帯４１の色彩に応じて、容器本体１１内の内容物の残量を確認できるようになっている。
なお、これに限らず例えば、表示帯４１の長手方向に沿う部分ごとで、文字、図形、記号、および色彩等のうちの少なくとも１つを、異ならせてもよいし、あるいは表示したり、表示しなかったりしてもよい。
【００２１】
収容体１４の周壁部３４は、容器本体１１の口部１３内に密に嵌合されている。周壁部３４の上端部に、径方向の外側に向けて突出し、周方向の全長にわたって連続して延びる下フランジ部３４ａが形成されている。下フランジ部３４ａは、口部１３の上端開口縁に配置されている。下フランジ部３４ａに、下方に向けて突出した外嵌筒３４ｂが形成されている。外嵌筒３４ｂは、口部１３の上端部のうち、雄ねじ部より上方に位置する部分に外嵌されている。
【００２２】
収容体１４の底壁部１６に、容器本体１１内に開口する連通孔１７が形成されている。底壁部１６の下面における連通孔１７の開口周縁部に、下方に向けて突出した導入筒３５が設けられている。連通孔１７、および導入筒３５は、中心軸線Ｏと同軸に配設されている。
底壁部１６の上下面は、中心軸線Ｏに直交する方向に延びる平坦面となっている。なお、底壁部１６は、例えば径方向の外側から内側に向かうに従い、下方に向けて延びてもよい。
【００２３】
底壁部１６に、上方に向けて突出した案内筒２５が設けられている。案内筒２５は、底壁部１６の外周縁部に配設されている。案内筒２５の外周面と、収容体１４の周壁部３４の内周面と、の間に、径方向の隙間が設けられている。案内筒２５の上端部は、収容体１４の周壁部３４の上端部より下方に位置している。
【００２４】
蓋体１５の周壁部の内周面に、口部１３の雄ねじ部に螺合する雌ねじ部が形成されている。蓋体１５の頂壁部３１に、連通孔１７に離脱可能に嵌合された栓部１８が設けられている。栓部１８は、筒状に形成され、中心軸線Ｏと同軸に配設されている。なお、栓部１８は、中実に形成されてもよい。頂壁部３１の下面における外周縁部が、収容体１４の下フランジ部３４ａの上面に、周方向の全長にわたって連続して当接している。
【００２５】
次に、上述した付け替え容器１に装着される吐出器２２について、図２を参照しつつ、付け替え容器１に装着された状態に基づいて説明する。
吐出器２２は、装着キャップ４３、吐出ヘッド４４、上部弁体４５、基部材４６、ピストン４７、ピストンガイド４８、下部弁体４９、スプリング受け５０、スプリング５１、操作部材５２、およびオーバーキャップ５３を備えている。
【００２６】
装着キャップ４３は、口部１３に着脱可能に装着される。装着キャップ４３は、有頂筒状に形成されている。装着キャップ４３の天壁部４３ａは、環状に形成され、中心軸線Ｏと同軸に配設されている。
吐出ヘッド４４は、装着キャップ４３の天壁部４３ａの内側に、軸方向に移動可能に配設されている。吐出ヘッド４４は、内側が内容物の吐出孔２１とされたヘッド内筒４４ａと、ヘッド内筒４４ａを径方向の外側から囲うヘッド外筒４４ｂと、ヘッド内筒４４ａおよびヘッド外筒４４ｂそれぞれの上端部同士を連結する連結壁４４ｃと、を備えている。ヘッド内筒４４ａの上端部の内周面に、径方向の内側に向けて突出した環状の弁座部４４ｄが形成されている。弁座部４４ｄの内周面に、径方向の内側に向けて突出した突起が、周方向に間隔をあけて複数形成されている。
【００２７】
上部弁体４５は、吐出ヘッド４４の弁座部４４ｄ内に嵌合された軸部４５ａと、軸部４５ａの上端部から径方向の外側に向けて突出し、弁座部４４ｄ上に配置された傘部４５ｂと、を備えている。
軸部４５ａの外周面と、弁座部４４ｄの内周面のうち、突起の非形成部分と、の間に、内容物が通過可能な隙間が設けられている。
傘部４５ｂは、吐出孔２１と外部との連通を遮断している。傘部４５ｂは弾性変形可能に形成されており、吐出孔２１の内圧が上昇したときに、傘部４５ｂが上方に向けて弾性変形し、吐出孔２１が外部に開放される。
【００２８】
基部材４６は、支持フランジ部２６、被案内筒２７、外筒２４、シリンダ２０、連結筒２３、基板５６、および中間筒５５を備えている。
【００２９】
支持フランジ部２６は、周方向の全長にわたって連続して延び、中心軸線Ｏと同軸に配設されている。支持フランジ部２６は、収容体１４の下フランジ部３４ａの上面に配置されている。支持フランジ部２６は、下フランジ部３４ａを介して口部１３の上端開口縁に支持されている。支持フランジ部２６の外周部が、収容体１４の下フランジ部３４ａの上面に配置されている。支持フランジ部２６の外周面は、装着キャップ４３の周壁部４３ｂの内側に嵌合されている。
【００３０】
被案内筒２７は、支持フランジ部２６から下方に向けて突出し、収容体１４の周壁部３４内に挿入されている。被案内筒２７は、支持フランジ部２６における径方向の中間部に設けられ、中心軸線Ｏと同軸に配設されている。被案内筒２７の外周面は、収容体１４の周壁部３４の内周面に当接、若しくは近接している。被案内筒２７の内径は、収容体１４の案内筒２５の外径以上となっている。
なお、被案内筒２７の外周面を、収容体１４の周壁部３４の内周面に密に当接させ、被案内筒２７の外周面と、収容体１４の周壁部３４の内周面と、の間をシールしてもよい。
【００３１】
外筒２４は、支持フランジ部２６の内周面から上方および下方の双方向に突出している。外筒２４の、支持フランジ部２６に対する下方に向けた突出量は、外筒２４の、支持フランジ部２６に対する上方に向けた突出量より大きくなっている。外筒２４は、中心軸線Ｏと同軸に配設されている。外筒２４は、シリンダ２０を径方向の外側から囲っている。外筒２４の下端部は、収容体１４の案内筒２５の内側に挿入されている。外筒２４の外周面は、案内筒２５の内周面に当接、若しくは近接している。外筒２４の内径は、装着キャップ４３の天壁部４３ａの内径より大きくなっている。外筒２４の外周面と、被案内筒２７の内周面と、の間に、径方向の隙間が設けられている。
なお、外筒２４の外周面を、案内筒２５の内周面に密に当接させ、外筒２４の外周面と、案内筒２５の内周面と、の間をシールしてもよい。
【００３２】
シリンダ２０は、中心軸線Ｏと同軸に配設されている。シリンダ２０の内径は、ヘッド内筒４４ａの外径より大きく、シリンダ２０の外径は、ヘッド外筒４４ｂの内径より小さくなっている。シリンダ２０は、有底筒状に形成され、底壁部が環状に形成されている。この底壁部の内側、つまりシリンダ２０の下端開口１９を通して、容器本体１１内の内容物がシリンダ２０の内部に供給される。シリンダ２０、および外筒２４それぞれの上端部の軸方向の位置は互いに同等になっている。シリンダ２０の上端部の内周面は、ヘッド内筒４４ａの下端部の外周面と径方向で対向している。
【００３３】
連結筒２３は、シリンダ２０の下端開口１９の周縁部から下方に向けて突出し、収容体１４の連通孔１７に密に嵌合されている。連結筒２３は、中心軸線Ｏと同軸に配設されている。連結筒２３の下端部は、収容体１４の導入筒３５の下端部より上方に位置している。
基板５６は、シリンダ２０、および外筒２４の各下端部同士を連結している。基板５６は、環状に形成され、中心軸線Ｏと同軸に配設されている。基板５６の下面は、収容体１４の底壁部１６の上面に当接、若しくは近接している。
中間筒５５は、シリンダ２０と外筒２４との間に配設され、基板５６から上方に向けて突出している。中間筒５５は、中心軸線Ｏと同軸に配設されている。中間筒５５の内径は、ヘッド外筒４４ｂの内径と同等になっている。中間筒５５の上端部は、シリンダ２０の上端部、およびヘッド外筒４４ｂの下端部より下方に位置している。
【００３４】
ピストンガイド４８は、有底筒状に形成され、上端部が、ヘッド内筒４４ａ内に嵌合されている。ピストンガイド４８は、ヘッド内筒４４ａから下方に突出している。ピストンガイド４８の下端部に、径方向の外側に向けて突出し、ヘッド内筒４４ａの下端開口縁と軸方向で対向した対向フランジ部４８ａが形成されている。ピストンガイド４８の周壁部に、径方向に貫き、ピストンガイド４８内とシリンダ２０内とを連通可能な貫通孔４８ｂが、周方向に間隔をあけて複数形成されている。
【００３５】
ピストン４７は、シリンダ２０内に上下摺動可能に嵌合されている。ピストン４７は、筒状に形成され、内側にピストンガイド４８が挿通されている。ピストン４７は、ピストンガイド４８の対向フランジ部４８ａ上に支持されている。ピストン４７は、ヘッド内筒４４ａの下端部と、対向フランジ部４８ａと、の間に位置している。ピストン４７は、吐出ヘッド４４の下方移動時に、対向フランジ部４８ａに対して上方に離れた状態で、ヘッド内筒４４ａの下端部に押し込まれるとともに、吐出ヘッド４４の上方移動時に、対向フランジ部４８ａに突き上げられることによって、吐出ヘッド４４の上下動に連係する。
【００３６】
下部弁体４９は、シリンダ２０の下端部内に配設されている。下部弁体４９は、容器本体１１内の内容物のシリンダ２０への流入を許容する一方、シリンダ２０内の内容物の容器本体１１内への流出を規制する逆止弁となっている。
【００３７】
スプリング受け５０は、シリンダ２０に外嵌された固定筒５７と、固定筒５７を径方向の外側から囲う規制筒５８と、固定筒５７および規制筒５８の各下端部同士を連結した連結部５９と、を備えている。
規制筒５８の下部は、中間筒５５の内側に挿入され、規制筒５８の上部は、ヘッド外筒４４ｂの内側に挿入されている。規制筒５８の外周面と中間筒５５の内周面との間、並びに、規制筒５８の外周面とヘッド外筒４４ｂの内周面との間にそれぞれ、回り止め部６０、６１が各別に設けられている。回り止め部６０、６１はそれぞれ、スプリング受け５０および基部材４６の相対的な回転移動、並びに、スプリング受け５０および吐出ヘッド４４の相対的な回転移動を各別に規制する。
【００３８】
スプリング５１の下部は、固定筒５７の外周面と規制筒５８の内周面との間に差し込まれ、スプリング５１の上部は、ヘッド内筒４４ａの外周面とヘッド外筒４４ｂの内周面との間に差し込まれている。スプリング５１の上端部は、吐出ヘッド４４に係止されており、スプリング５１は、吐出ヘッド４４を上方付勢状態で下方移動可能に支持している。
【００３９】
操作部材５２は、筒状に形成され、ヘッド外筒４４ｂに、中心軸線Ｏ回りに回転可能に外嵌されている。
操作部材５２は、装着キャップ４３の天壁部４３ａの上面に当接、若しくは近接している。操作部材５２に、下方に向けて突出し、装着キャップ４３の天壁部４３ａの内側に挿入された脚片５２ａが形成されている。脚片５２ａは、装着キャップ４３の天壁部４３ａの内周面と、ヘッド外筒４４ｂの外周面と、の間に差し込まれている。脚片５２ａに、装着キャップ４３の天壁部４３ａの下面に係止される抜け止め突起が形成されている。抜け止め突起が、装着キャップ４３の天壁部４３ａの下面に係止されることにより、吐出ヘッド４４の、装着キャップ４３に対する上方移動が規制される。
操作部材５２の内周面に、ヘッド外筒４４ｂの外周面に形成された被ガイド突起６２に係合するガイド突起６３が周方向に沿って複数設けられている。
【００４０】
オーバーキャップ５３は、装着キャップ４３の周壁部４３ｂに着脱可能にアンダーカット嵌合されている。オーバーキャップ５３の内側に、遮光体５４が配設されている。遮光体５４は、金属板により有頂筒状に形成され、吐出ヘッド４４、上部弁体４５、操作部材５２、および装着キャップ４３の天壁部４３ａを全域にわたって覆っている。
遮光体５４が設けられているので、吐出ヘッド４４におけるヘッド内筒４４ａの上端部、および連結壁４４ｃの上面、並びに、上部弁体４５の傘部４５ｂの上面に残存した内容物が、光により劣化するのを抑制することができる。
【００４１】
以上の構成において、オーバーキャップ５３を、遮光体５４とともに装着キャップ４３から取り外した後に、操作部材５２を、吐出ヘッド４４に対して中心軸線Ｏ回りに回転させると、吐出ヘッド４４の被ガイド突起６２が、操作部材５２のガイド突起６３に摺接しつつ押し込まれ、吐出ヘッド４４が、スプリング５１の上方付勢力に抗して下方移動する。この際、ピストンガイド４８の対向フランジ部４８ａが、ピストン４７から下方に離間した状態で、ピストン４７が、ヘッド内筒４４ａの下端部に押し込まれ、シリンダ２０内を下方移動する。これにより、シリンダ２０内の内容物が、ピストンガイド４８の対向フランジ部４８ａとピストン４７との間、ピストンガイド４８の貫通孔４８ｂ、並びに、ピストンガイド４８内を通過して吐出孔２１に到達し、上部弁体４５の傘部４５ｂを上方に向けて弾性変形させることで、外部に吐出される。
【００４２】
そして、操作部材５２のガイド突起６３が、吐出ヘッド４４の被ガイド突起６２を周方向に乗り越えると、スプリング５１の上方付勢力により、吐出ヘッド４４が上方に復元移動する。この過程において、ピストンガイド４８の対向フランジ部４８ａが、ピストン４７を突き上げて、ピストン４７がシリンダ２０内を上方移動し、シリンダ２０内が負圧になることで、下部弁体４９が開き、容器本体１１内の内容物が、収容体１４の導入筒３５内、連結筒２３内、およびシリンダ２０の下端開口１９を通してシリンダ２０内に供給される。この際、中皿１２が、可動部４０とともに容器本体１１内を上方移動する。これにより、表示帯４１が、収容部３９ａから繰り出され、パス孔３９ｂ、および窓孔３２ａ上を通過する。
【００４３】
次に、付け替え容器１に吐出器２２を装着する付け替え操作について説明する。
【００４４】
まず、付け替え容器１において、蓋体１５を容器本体１１の口部１３から外し、栓部１８を連通孔１７から外す。次に、吐出器２２の装着キャップ４３を口部１３に螺着しつつ、シリンダ２０、中間筒５５、外筒２４、および被案内筒２７を収容体１４内に進入させる。この際、外筒２４が、収容体１４の案内筒２５内に挿入されるとともに、被案内筒２７が、収容体１４の周壁部３４内に挿入されながら、支持フランジ部２６の下面が、収容体１４の下フランジ部３４ａの上面に配置されるとともに、連結筒２３が収容体１４の連通孔１７に密に嵌合される。
【００４５】
以上説明したように、本実施形態による付け替え容器１によれば、吐出器２２を容器本体１１の口部１３に装着したときに、連結筒２３が連通孔１７に密に嵌合するので、容器本体１１内の内容物が、連結筒２３の外周面と連通孔１７の内周面との間を通して、吐出器２２と収容体１４の底壁部１６の上面との間に進入するのを抑制することが可能になり、シリンダ２０が収容体１４内に収容され、容器本体１１内に露呈するのを防止できることと相俟って、内容物が吐出器２２の外面に付着するのを抑制することができる。これにより、例えば、付け替え操作の過程で内容物が手に付着したり、使用できない内容物が生じたりするのを抑えることができる。
【００４６】
収容体１４の底壁部１６に、内周面が吐出器２２の外筒２４の外周面に当接、若しくは近接する案内筒２５が設けられているので、シリンダ２０を収容体１４内に進入するときに、外筒２４の外周面を案内筒２５の内周面に摺接させることにより、吐出器２２および収容体１４の相対的な径方向の位置が決められることとなり、吐出器２２を口部１３に容易に装着することができる。
【００４７】
収容体１４の周壁部３４の内周面が、吐出器２２の被案内筒２７の外周面に当接、若しくは近接するので、シリンダ２０を収容体１４内に進入するときに、被案内筒２７の外周面を、収容体１４の周壁部３４の内周面に摺接させることにより、吐出器２２および収容体１４の相対的な径方向の位置が決められることとなり、吐出器２２を口部１３に容易に装着することができる。
【００４８】
本発明は上記した実施の形態に限定されるものではなく、その趣旨を逸脱しない範囲で適宜変更可能である。
【００４９】
例えば  前記実施形態では、吐出器２２として、外筒２４、支持フランジ部２６、被案内筒２７、および操作部材５２等を有する構成を示したが、これらを有しない他の構成を採用してもよい。
収容体１４として、下フランジ部３４ａ、外嵌筒３４ｂ、および導入筒３５を備える構成を示したが、これらを有しない他の構成を採用してもよい。
【００５０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５１】
１  付け替え容器
１１  容器本体
１２  中皿
１３  口部
１４  収容体
１５  蓋体
１６  収容体の底壁部
１７  連通孔
１８  栓部
１９  下端開口
２０  シリンダ
２１  吐出孔
２２  吐出器
２３  連結筒
２４  外筒
２５  案内筒
２６  支持フランジ部
２７  被案内筒
３４  収容体の周壁部
【図１】
2020189681.tif 000003
【図２】
2020189681.tif 000004